(57)【要約】【課題】高所避難装置の提供。【解決手段】複数の気嚢が連接されてなる気嚢ウエアを具え、該気嚢ウエアにスライドファスナー及び上半身を結束するバンドが取り付けられ、バンド後方が複数のロープで落下傘に連接され、気嚢ウエア前方に二つの補助気嚢が設けられ、並びに気嚢ウエアの手部、足部間に三角翼が設けられ、三角翼に気孔が設けられてエアパイプで補助気嚢に連接され、落下傘の上端に集気孔が設けられ、並びに周縁及び円弧面に連通する気嚢が設けられ、気嚢が集気管で集気孔に連接され、高所より避難する時、気嚢ウエアを着用し並びに気嚢に充気すれば、高所より飛び下りることができ、落下傘により速度を落とす効果を達成し、気嚢により人身の安全を保護できる。【選択図】        図１
2004180928.tif 000002
【特許請求の範囲】
【請求項１】
高所避難装置において、
複数の独立した気嚢の連接により組成され、前方中央にスライドファスナーが設けられ、上半身の適当な位置に結束用のバンドが設けられ、該バンド後方に落下傘が連接された、気嚢ウエアと、
該気嚢ウエアの手部と脚部の間に設けられ、表面に尖突部が設けられ、該尖突部の下方にエアパイプが連接されて気孔が形成された、三角翼と、
該気嚢ウエアの前方の上下の適当な位置に設けられ、三角翼のエアパイプに連接された、二つの補助気嚢と、
該気嚢ウエアのバンドに連接され、周縁と円弧面に相互に貫通する気嚢が設けられ、上縁に集気孔が設けられ、該集気孔が集気管でこの相互に貫通する気嚢に連接され、傘面に対称に大小の気孔が設けられ、この大小の気孔の周縁が二つの小落下傘に連接された、落下傘と、
を具えたことを特徴とする、高所避難装置。
【請求項２】
請求項１に記載の高所避難装置において、気嚢ウエアのバンドに対応する留め具が設けられて該留め具が前方で止め合わされることを特徴とする、高所避難装置。
【請求項３】
請求項１に記載の高所避難装置において、気嚢ウエアの各独立した気嚢間に単方向充気に供される逆止弁が設けられたことを特徴とする、高所避難装置。
【発明の詳細な説明】
【０００１】
【発明の属する技術分野】
本発明は一種の高所避難装置に係り、特に、降下速度を緩める作用と気嚢の保護により、高所より安全に避難できる効果を有する高所避難装置に関する。
【０００２】
【従来の技術】
一般に、高層ビル火災が発生する時、火は上向きに進むため、避難者は避難階段に沿って下向きに逃げることができない。このとき、高層ビル用避難設備が機能を発揮できなければ、避難者は高温と濃い煙に耐えられず、高いところから下に飛び下りることになり、このため、救出前に地面に墜落し死傷することがよくある。このため早急な改善が待たれている。
【０００３】
【発明が解決しようとする課題】
本発明の主要な目的は、一種の高所避難装置を提供することにあり、それは、避難者を高所より下向きにゆっくりと降下させることができ、且つ降下過程で確実に人体の安全を保護し、死傷者を発生させない装置であるものとする。
【０００４】
【課題を解決するための手段】
請求項１の発明は、高所避難装置において、
複数の独立した気嚢の連接により組成され、前方中央にスライドファスナーが設けられ、上半身の適当な位置に結束用のバンドが設けられ、該バンド後方に落下傘が連接された、気嚢ウエアと、
該気嚢ウエアの手部と脚部の間に設けられ、表面に尖突部が設けられ、該尖突部の下方にエアパイプが連接されて気孔が形成された、三角翼と、
該気嚢ウエアの前方の上下の適当な位置に設けられ、三角翼のエアパイプに連接された、二つの補助気嚢と、
該気嚢ウエアのバンドに連接され、周縁と円弧面に相互に貫通する気嚢が設けられ、上縁に集気孔が設けられ、該集気孔が集気管でこの相互に貫通する気嚢に連接され、傘面に対称に大小の気孔が設けられ、この大小の気孔の周縁が二つの小落下傘に連接された、落下傘と、
を具えたことを特徴とする、高所避難装置としている。
請求項２の発明は、請求項１に記載の高所避難装置において、気嚢ウエアのバンドに対応する留め具が設けられて該留め具が前方で止め合わされることを特徴とする、高所避難装置としている。
請求項３の発明は、請求項１に記載の高所避難装置において、気嚢ウエアの各独立した気嚢間に単方向充気に供される逆止弁が設けられたことを特徴とする、高所避難装置としている。
【０００５】
【発明の実施の形態】
本発明の高所避難装置は、複数の独立する気嚢が連接されてなる気嚢ウエアを具え、気嚢ウエアにスライドファスナーが設けられ、避難者が身体に着用して高圧注気した後、気嚢で全身を覆うことができ、避難者を保護し人身の安全を達成する。
【０００６】
前述の高所避難装置は、気嚢ウエアに上半身を結束するバンドが設けられ、バンド後方に複数のロープで落下傘が連接され、該落下傘の周縁及び円弧面に連通する気嚢が設けられ、上端に集気孔が設けられ、集気孔が集気管で気嚢に連接され、避難者が高所より飛び下りる時に、気流が集気孔を通り気嚢に対して充気することにより落下傘が開き、降下速度を緩める作用を達成する。
【０００７】
前述の高所避難装置は、落下傘表面に大小の気流調整孔が設けられ、気流調整孔の上方に小落下傘が設けられて降下方向を制御する。
【０００８】
前述の高所避難装置は、気嚢ウエアの前方に、上下の補助気嚢が設けられ、並びに気嚢ウエアの手部と脚部の間に三角翼が設けられ、三角翼に気孔が設けられ、気孔がエアパイプでこの二つの補助気嚢に連接され、避難者が飛び下りる時、気流が気孔を通り補助気嚢に対する充気を行うため、人身保護の効果が高められる。
【０００９】
【実施例】
図１、２、７、８に示されるように、本発明は複数の独立した気嚢１１が連接されてなる全身気嚢ウエア１を具え、頭部にフード１２及びゴーグル１３が設けられ、フード１２内にエアノズル１０、１０ａが設けられ、エアノズル１０、１０ａが気嚢１１に連接されている。気嚢ウエア１の前方中央にスライドファスナー１４が設けられ、避難者の着用に供され、並びにエアノズル１０より気嚢１１に対する注気が行える。
【００１０】
気嚢ウエア１の上半身の適当な位置に、環状に結束するためのバンド１５が設けられ、バンド１５に留め具１６が設けられ、並びにバンド１５の後方が複数のロープ２１で落下傘２に連接されている。
【００１１】
気嚢ウエア１の手部と脚部は三角翼１７で連接され、三角翼１７に気孔（後述する）が設けられ、並びに気嚢ウエア１の前方の上下の適当な位置に補助気嚢１８、１９が設けられ、この二つの補助気嚢１８、１９がそれぞれエアパイプ１８、１９で気孔に連接され、補助気嚢１８がエアノズル１０ａに連接されている。
【００１２】
該落下傘２は、その周縁と円弧面に、連通する気嚢２２を具え、上端に一つの集気孔２３が設けられ、集気孔２３が集気管２４で気嚢２２に連接され、傘面に対称な大きな気孔２５と小さな気孔２５１が設けられ、気孔２５の周縁がロープ２６１で小落下傘２６に連接され、落下傘２がクリップ２７で気嚢ウエア１の背面を挟持する。
【００１３】
前述の部品の組合せにより、高所避難装置が形成され、避難者が気嚢ウエア１を着用後に、バンド１５を留め具１６で止め合わせ、さらにエアノズルで高圧ボンベより気嚢１１、１８に対して充気するか、或いは高圧ボンベが使えない時は、口部でエアノズル１０、１０ａより送気すれば、災難現場の高所より飛び下りることができる。下降と同時に、風力によりクリップ２７が気嚢ウエア１より離脱し、並びに落下傘が上昇し開き、落下傘２により落下速度が緩められ、並びに落下過程で、補助気嚢１８、１９が同時に充気され、気嚢ウエア１と共同で人身の安全を保護する作用を達成する。
【００１４】
図４、５に示されるように、本発明の気嚢ウエア１は複数の独立した気嚢１１が連接されてなり、各気嚢１１の間には逆止弁１１１が設けられ、充気時に逆止弁１１１の単方向作用により徐々に充気でき、そのうち一つの気嚢が破裂した時も、他の気嚢１１に影響を与えて気嚢ウエア１の漏気を形成することがない。
【００１５】
図６に示されるように、本発明の三角翼１７は、尖突部１７１が設けられ、該尖突部１７１の上方に突出するエアパイプ１８１（１９１）が連接されて連接部に気孔１８２（１９２）が形成され、該気孔１８２（１９２）の入口に逆止弁１８３（１９３）が設けられ、並びに該エアパイプ１８１（１９１）が尖突部１７１より下向きに折り曲げられると共に三角翼１７を貫通し、避難者が高所より飛び下りる時、気流が気孔１８２（１９２）よりエアパイプ１８１（１９１）に注入され、エアパイプ１８１（１９１）を通り、補助気嚢１８、１９に充気し、逆止弁１８３（１９３）により空気の逆流が防止される。
【００１６】
図８、９に示されるように、本発明の落下傘２は、その周縁及び円弧面に貫通する気嚢２２が設けられ、上端に集気孔２３が設けられ、並びに集気孔２３が集気管２４で気嚢２２に連接され、これにより、避難者が飛び下りる時、気流が集気孔２３より集気管２４を通り、気嚢２２に対して充気し、落下傘２を拡張させ、これにより降下速度を緩める作用を達成し、並びに大きな気孔２５と小さな気孔２５１により下降が一定の傾斜を呈するものとされ、災難現場から遠ざかることができ、さらに小落下傘２６によ気流が調整され、降下の位置が制御される。
【００１７】
【発明の効果】
図１０を参照されたい。本発明を使用する時、避難者は気嚢ウエア１を着用後（着用時には、未充気であるため、避難者の手足はいずれも露出し、操作と走行に便利である）、高圧ボンベ（高圧ボンベがない時は口で直接送気する）を利用して気嚢１１に充気し並びに災難現場の高所より飛び下りる。飛び下りると同時に、落下傘２が気流により開き、前方の補助気嚢１８、１９もまた気流により充気され、避難者の高所よりの降下速度を緩め、ゆっくり降下し避難する目的を達成する。且つ降下過程で、気嚢ウエア１及び補助気嚢１８、１９が人身の安全を保護する。
【図面の簡単な説明】
【図１】本発明の気嚢ウエアの立体表示図である。
【図２】本発明の気嚢ウエアの背面立体図である。
【図３】本発明の気嚢ウエアの部分断面図である。
【図４】本発明の気嚢ウエアの断面図である。
【図５】本発明の気嚢連接断面図である。
【図６】本発明の三角翼の気孔断面図である。
【図７】本発明の落下傘の立体図である。
【図８】本発明の落下傘の気孔表示図である。
【図９】本発明の落下傘の断面図である。
【図１０】本発明の避難状態実施例表示図である。
【符号の説明】
１  気嚢ウエア            １８２、１９２  気孔
１０、１０ａ  エアノズル  ２  落下傘
１１  気嚢                ２１  ロープ
１２  フード              ２２  気嚢
１３  ゴーグル            ２３  集気孔
１４  スライドファスナー  ２４  集気管
１５  バンド              ２５  大きな気孔
１６  留め具              ２５１  小さな気孔
１７  三角翼              ２６  小落下傘
１７１  尖突部            １８、１９  補助気嚢
１８１、１９１  エアパイプ  １１１  逆止弁
１８３、１９３  逆止弁
【図１】
2004180928.tif 000003
【図２】
2004180928.tif 000004
【図３】
2004180928.tif 000005
【図４】
2004180928.tif 000006
【図５】
2004180928.tif 000007
【図６】
2004180928.tif 000008
【図７】
2004180928.tif 000009
【図８】
2004180928.tif 000010
【図９】
2004180928.tif 000011
【図１０】
2004180928.tif 000012